(57)【要約】      （修正有）【課題】幅が広くないベランダやバルコニーなどであっても、取付容易で、取替え容易な立体ガーデニングシステムを提供する。【解決手段】鉢を斜め前向きに傾斜して収容する鉢収容部を水平方向に所定数並設した鉢ホルダー３と、この鉢ホルダー３を上下左右に複数保持可能なガーデニング架台２と、を備え、ガーデニング架台２は、縦桟と横桟を格子状に組み合わせた鉢ホルダー装着部を有し、鉢ホルダー３は、横桟に引っ掛ける係止部４と、縦桟に当接して当該鉢ホルダー３の装着姿勢を規定する当接部を有する構成の立体ガーデニングシステム１とした。【選択図】図１
0003181014.tif 000002
【実用新案登録請求の範囲】
【請求項１】
鉢を斜め前向きに傾斜して収容する鉢収容部を水平方向に所定数並設した鉢ホルダーと、この鉢ホルダーを上下左右に複数保持可能なガーデニング架台と、を備え、
前記ガーデニング架台は、縦桟と横桟を格子状に組み合わせた鉢ホルダー装着部を有し、前記鉢ホルダーは、前記横桟に引っ掛ける係止部と、前記縦桟に当接して当該鉢ホルダーの装着姿勢を規定する当接部を有することを特徴とする立体ガーデニングシステム。
【請求項２】
前記係止部は、縦桟と横桟の格子部の縦桟を跨ぐ両側の横桟に引っ掛ける左右一対の引っ掛け部を有し、当該左右一対の引っ掛け部の間に前記当接部を設け、この係止部を前記鉢ホルダーの上部の左右２箇所に設けたことを特徴とする請求項１に記載の立体ガーデニングシステム。
【請求項３】
前記鉢ホルダーは、前記鉢収容部を３個並設し、前記係止部を前記３個の鉢収容部の１番目と２番目の間と、２番目と３番目の間に、それぞれ設けたことを特徴とする請求項１または２に記載の立体ガーデニングシステム。
【請求項４】
前記当接部は、上下方向に延設されるＵ溝からなることを特徴とする請求項１から３のいずれかに記載の立体ガーデニングシステム。
【考案の詳細な説明】
【技術分野】
【０００１】  本考案は、鉢植えを立体的に配置できる立体ガーデニングシステムに関し、特に、ベランダやバルコニーなどの従来は家庭菜園に不適とされていた狭い場所に好適に適用される立体ガーデニングシステムに関するものである。
【背景技術】
【０００２】  従来、ベランダやバルコニーには、床の上に直接鉢を置いて、花や簡単な野菜などの植物を育てる鉢植えシステムが採用されている。また、階段状の植木鉢用テーブルを設置して、複数の鉢を同時に載置することもある。【０００３】  しかし、アパートやマンションなどの集合住宅に設置されるベランダやバルコニーは、その幅は鉢植えや菜園を行うには十分には広くなく、利用者にとって充分な量の鉢植えを置くことは困難であった。【０００４】  そのために、ベランダやバルコニーなどの限られたスペースを有効に活用してガーデニングを行うことが模索されており、例えば、植栽土壌を収容し天然芝を植生したカウンラー本体に架台を取り付けたベランダ用緑化カウンターテーブルが既に提案されている（例えば、特許文献１参照）。【０００５】  また、植木鉢を引っ掛け可能なメッシュ部を備えてベランダ等に設置自在としたガーデニングラックがすでに提案されている（例えば、特許文献２）。
【先行技術文献】
【特許文献】
【０００６】
【特許文献１】  実用新案登録第３１４６８５９号公報
【特許文献２】  特開２０００−２３２９２７号公報
【考案の概要】
【考案が解決しようとする課題】
【０００７】  しかし、特許文献１に記載の緑化カウンターテーブルは単に一段であるので、十分な量の植物を栽培することはできない。また、特許文献２に記載のガーデニングラックは、ラックの上下に植木鉢を引っ掛けるように装着しているので、奥行き方向にも高さ方向にも余裕がなく、空間を立体的に有効に利用しているとは言い難い。【０００８】  そこで、ベランダやバルコニーなどの限られたスペースを立体的に有効に活用して、より多くの植物を栽培できるガーデニングシステムや鉢植えシステムであることが求められている。【０００９】  また、マンションのベランダやバルコニーなどに容易に取付可能で、季節に応じて取替えも容易な構成のガーデニングシステムや鉢植えシステムであることが好ましい。【００１０】  本考案は、上記問題点に鑑み、幅が広くないベランダやバルコニーなどであっても、取付容易で、取替え容易な立体ガーデニングシステムを提供することを目的とする。
【課題を解決するための手段】
【００１１】  上記課題を解決するために本考案は、鉢を斜め前向きに傾斜して収容する鉢収容部を水平方向に所定数並設した鉢ホルダーと、この鉢ホルダーを上下左右に複数保持可能なガーデニング架台と、を備え、前記ガーデニング架台は、縦桟と横桟を格子状に組み合わせた鉢ホルダー装着部を有し、前記鉢ホルダーは、前記横桟に引っ掛ける係止部と、前記縦桟に当接して当該鉢ホルダーの装着姿勢を規定する当接部を有する立体ガーデニングシステムとしたことを特徴とする。【００１２】  この構成によると、ガーデニング架台の横桟に引っ掛けるように鉢ホルダーを取り付けることで、鉢ホルダーの当接部が縦桟に当接して鉢ホルダーをガーデニング架台に簡単に固定できる。また、ガーデニング架台に鉢ホルダーを上下左右に組み付けることにより、斜め前方に傾斜させて複数の鉢植えを立体的に配置可能なガーデニングシステムを構成することができる。すなわち、幅が広くないベランダやバルコニーなどであっても、取付容易で、取替え容易な立体ガーデニングシステムを得ることができる。【００１３】  また本考案は、上記構成の立体ガーデニングシステムにおいて、前記係止部は、縦桟と横桟の格子部の縦桟を跨ぐ両側の横桟に引っ掛ける左右一対の引っ掛け部を有し、当該左右一対の引っ掛け部の間に前記当接部を設け、この係止部を前記鉢ホルダーの上部の左右２箇所に設けたことを特徴としている。この構成によると、当接部を縦桟に当てるようにして左右一対の引っ掛け部を簡単に横桟に引っ掛けることができ、鉢ホルダーの上部の左右２箇所に設ける係止部を横桟に引っ掛けることにより、鉢ホルダーを安定してガーデニング架台に取付けることができる。【００１４】  また本考案は、上記構成の立体ガーデニングシステムにおいて、前記鉢ホルダーは、前記鉢収容部を３個並設し、前記係止部を前記３個の鉢収容部の１番目と２番目の間と、２番目と３番目の間に、それぞれ設けたことを特徴としている。この構成によると、真ん中の鉢収容部を挟む左右の２か所に係止部を設けることになって、バランス良く安定して鉢ホルダーを取り付け可能になる。【００１５】  また本考案は、上記構成の立体ガーデニングシステムにおいて、前記当接部は、上下方向に延設されるＵ溝からなることを特徴としている。この構成によると、鉢ホルダーの左右２箇所の上下方向を縦桟に当接させるので、鉢ホルダーの設置姿勢を安定することができる。
【考案の効果】
【００１６】  本考案によれば、縦桟と横桟を格子状に組み合わせた鉢ホルダー装着部を有するガーデニング架台に、鉢ホルダーを斜め前向きに傾斜して上下左右に複数取付け可能にした立体ガーデニングシステムとしたので、幅が広くないベランダやバルコニーなどであっても、取付容易で、取替え容易な立体ガーデニングシステムを得ることができる。
【図面の簡単な説明】
【００１７】
【図１】本考案に係る立体ガーデニングシステムの側面図である。
【図２】本考案に係る立体ガーデニングシステムが有するガーデニング架台であって、（ａ）は概略正面図を示し、（ｂ）は側面図を示す。
【図３】本考案に係る立体ガーデニングシステムが有する鉢ホルダーの側面図である。
【図４】鉢ホルダーの実施形態例を示す概略正面図である。
【図５】鉢ホルダーに設ける係止部を示す要部拡大図である。
【考案を実施するための形態】
【００１８】  以下に本考案の実施形態を図面を参照して説明する。また、同一構成部材については同一の符号を用い、詳細な説明は適宜省略する。
【００１９】  本考案に係る立体ガーデニングシステムは、幅が広くないベランダやバルコニーなどであっても、多数の鉢植えを取付可能にしたガーデニングシステムである。また、鉢植えを平面状に並べるものではなく、単に階段状に積み重ねるものでもなく、上下であって、斜め前向き傾斜させて段々に設置できるようにしたものである。従って、上下の鉢植え同士の植生部が干渉しないように積み重ねることができるので、空間を立体的に使用可能になる。そのために、本実施形態に係るガーデニングシステムは、立体ガーデニングシステムと称することができる。
【００２０】  図１に示すように、本実施形態に係る立体ガーデニングシステム１は、例えば、ベランダ７に設置して多数の鉢植え６を立体的に装着可能にするものであって、ベランダ７の柵７１近傍にガーデニング架台２を設置し、このガーデニング架台２に、鉢植え６を斜め前向きに傾斜して多数装着可能にしたものである。また、鉢植え６は、斜め前向きに傾斜した鉢収容部を有する鉢ホルダー３に収容・取り出し可能とされる。この鉢ホルダー３は、ガーデニング架台２の立設した面の上下左右に着脱可能とされる。
【００２１】  そのために、この立体ガーデニングシステム１を前方から見ると、鉢植え６の植生部が主に見えることになって、鉢自体はあまり見えない構成となる。従って、植えつけられた草花や野菜や植物などが主に目に入るので、観察者からは、目の前の上下に、草花などの植物がびっしりと植生している状態を観察できる。
【００２２】  逆に言えば、幅が広くないベランダやバルコニーなどであっても、希望する草花や野菜などを効率よく植生可能なガーデニングシステムであると言える。
【００２３】  次に、本実施形態に係るガーデニング架台２について図２を用いて説明する。
【００２４】  図２（ａ）の正面図、図２（ｂ）の側面図に示すように、本実施形態に係るガーデニング架台２は、立枠２１と支持足２２を備え、立枠２１に、例えば、スチールワイヤからなる縦桟２３と横桟２４を格子状に組み合わせた鉢ホルダー装着部を有するフレーム構成とされる自立可能な架台である。また、縦桟２３と横桟２４を格子状に組み合わせた鉢ホルダー装着部に複数の鉢ホルダー３を上下左右に設置可能にしている。
【００２５】  鉢ホルダー３は、鉢を斜め前向きに傾斜して収容する鉢収容部を水平方向に所定数並設した構成とされ、例えば、樹脂成形品から成る。そして、この鉢ホルダー３は、横桟２４に引っ掛ける係止部４と、縦桟２３に当接して当該鉢ホルダー３の装着姿勢を規定する当接部５を有する。
【００２６】  次に、鉢ホルダー３について図３〜図５を用いて説明する。
【００２７】  図３に示すように、鉢ホルダー３は、鉢を斜め前向きに傾斜して収容する鉢収容部３１を有し、後部に、横桟２４に引っ掛け可能な係止部４を有する。また、立桟３に当接する当接部５を有する。
【００２８】  当接部５は、縦桟２３に線状に当接して鉢ホルダー３の装着姿勢を規定する機能を有し、例えば、断面Ｕ型の溝部から成る。そのために、係止部４を横桟２４に引っ掛けると共に、当接部５を縦桟２３に押し当てることにより鉢ホルダー３を安定して装着できる。
【００２９】  また、横桟２４に引っ掛ける係止部４が上方に位置し、当接部５がその下方に位置するので、鉢収容部３１に鉢や所望の草花を栽培している鉢植え６を挿入すると、その重みが当接部５から縦桟２３に負荷される。そのために、図示するように、縦桟２３の後方に横桟２４を配置するように、縦桟２３と横桟２４を格子状に組み合わせて、縦桟２３の負荷を横桟２４が受けるようにしている。
【００３０】  すなわち、縦桟２３と横桟２４を格子状に組み合わせた鉢ホルダー装着部に取付ける多数の鉢植えの重みを格子状の全体で受け止める構成であり、立枠２１と支持足２２を備えたフレーム全体で受け止める構成である。
【００３１】  鉢ホルダー３は、例えば、図４に示すように、鉢収容部３１を複数個、例えば図示するように３個設けた一体樹脂成形品から形成される。すなわち、本実施形態では、鉢収容部３１Ａ、３１Ｂ、３１Ｃを水平方向に並設して構成であって、鉢収容部３１Ａと３１Ｂの間と、鉢収容部３１Ｂと３１Ｃの間の２か所に係止部４と当接部５を設けている。
【００３２】  この１個の鉢ホルダー３に設ける鉢収容部３１の個数は、上記した３個に限定されず、４個でも５個でもよいが、３個であれば、１番目と２番目の間、および、２番目と３番目の間の、真ん中の鉢収容部３１Ｂを挟む左右の２か所に係止部４を設けることになって、バランス良く安定して鉢ホルダー３を取り付け可能になる。
【００３３】  そのために、面積が広くないベランダなどに設置する場合には、この３個の鉢収容部３１を備え、１番目と２番目の間と、２番目と３番目の間に、それぞれ係止部４を設けた構成の鉢ホルダー３が好ましいと言える。
【００３４】  次に、係止部４と当接部５の構成について図５を用いて再度説明する。この図５は、縦桟２３を切断する方向の断面図であって、係止部４を上から見下ろした状態を示す。
【００３５】  係止部４は、縦桟２３と横桟２４の格子部の縦桟２３を跨ぐ両側の横桟２４に引っ掛ける左右一対の引っ掛け部４ａ、４ｂを有し、当該左右一対の引っ掛け部４ａ、４ｂの間に当接部５を設ける構成としている。
【００３６】  すなわち、係止部４を横桟２４に引っ掛ける際に、縦桟２３に当接部５を嵌め込むように押し込む簡単な操作により、左右一対の引っ掛け部４ａ、４ｂを横桟２４に容易に係合させることができる。また、この係止部４を鉢ホルダー３の上部の左右２箇所に設けている。
【００３７】  上記したように本実施形態によれば、当接部５を縦桟２３に当てるようにして左右一対の引っ掛け部４ａ、４ｂを簡単に横桟２４に引っ掛けることができ、鉢ホルダー３の上部の左右２箇所に設ける係止部４を横桟２４に引っ掛けることにより、鉢ホルダー３を安定してガーデニング架台２に取付けることができる。
【００３８】  縦桟２３と横桟２４は、直径が５〜６ｍｍ程度のスチールワイヤを用いるとよい。また、この縦桟２３と横桟２４を格子状に組み合わせた鉢ホルダー装着部は、例えば、縦桟２３と横桟２４を１００ｍｍピッチの格子状に組み合わせたスチールワイヤネットを用いることができる。
【００３９】  そのために、断面円形のワイヤー状あるいは棒状の縦桟２３に当接する当接部５は、上下方向に延設されるＵ溝から成ることが好ましい。この構成であれば、鉢ホルダー３の左右２箇所の上下方向に延設されるＵ溝を縦桟２３に当接させるので、鉢ホルダー３の設置姿勢を安定させることができる。
【００４０】  上記したように、本考案によれば、縦桟と横桟を格子状に組み合わせた鉢ホルダー装着部を有するガーデニング架台に、鉢ホルダーを斜め前向きに傾斜して上下左右に複数取付け可能にした立体ガーデニングシステムとしたので、幅が広くないベランダやバルコニーなどであっても、取付容易で、取替え容易な立体ガーデニングシステムを得ることができる。
【００４１】  そのために、ハーブなどの多様な種類があって、それぞれ異なる風味や薬効を発揮する植物を、ベランダなどの狭い領域で栽培するガーデニングシステムとしても、有効に活用できるシステムとなる。
【００４２】  また、粗いピッチのワイヤーネット状の鉢ホルダー装着部に鉢ホルダーを引っ掛けるだけの簡単な取り付け作業により、鉢ホルダーを装着できるので、女性でも老人でも、容易に取り付けることができる効果を発揮する。
【００４３】  さらに、ベランダやバルコニーなどに設置することにより、外部から部屋を覗くことを防止するブラインド効果や、遮光効果も発揮する。
【００４４】  そのために、本考案に係る立体ガーデニングシステムは、ベランダやバルコニーなどの限られた面積を有効に活用することが求められるガーデニングシステムに好適に適用できる。
【符号の説明】
【００４５】  １    立体ガーデニングシステム
２    ガーデニング架台
３    鉢ホルダー
４    係止部
４ａ、４ｂ  引っ掛け部
５    当接部
６    鉢植え
２１    立枠
２２    支持足
２３    縦桟
２４    横桟
３１    鉢収容部
【図１】
0003181014.tif 000003
【図２】
0003181014.tif 000004
【図３】
0003181014.tif 000005
【図４】
0003181014.tif 000006
【図５】
0003181014.tif 000007